(57)【要約】  【課題】廃棄が必要なときはその場で一瞬にして溶融させることにより、安全な金属針廃棄処理装置を提供する。  【解決手段】本発明の金属針廃棄処理装置は、交流電源を電源とし、所定の電圧に変換する変圧器(1)と、変圧器(1)からの出力側に２つの金属端子板(3,4)を接続し、２つの金属端子板(3,4)を溶融処理容器(2)内に隙間を開けて収納する。変圧器(1)は出力側が１５Ｖ以下の電圧である。２つの金属端子(3,4)板の間に金属針を配置すると、短絡電流により、金属針(6)を溶融する。これにより、危険部分は残らない。変圧器(1)の出力側が１５Ｖ以下の電圧であるから、人体に接触しても感電ショックはなく安全である。【選択図】  図１
2005287601.tif 000002
【特許請求の範囲】
【請求項１】
交流電源を電源とし、所定の電圧に変換する変圧器と、
前記変圧器からの出力側に２つの金属端子板を接続し、前記２つの金属端子板を溶融処理容器内に隙間を開けて収納した金属針廃棄処理装置であって、
前記変圧器は、出力側が１５Ｖ以下の電圧であり、
前記２つの金属端子板のうち、奥側の金属端子板に廃棄用金属針の先端部を接触させ、手前側の金属端子板に前記金属針の根元部を接触させることにより、前記金属針に短絡電流を流し、前記金属針を溶融させることを特徴とする金属針廃棄処理装置。
【請求項２】
前記交流電源が、商用波数の交流電源である請求項１に記載の金属針廃棄処理装置。
【請求項３】
前記２つの金属端子板の距離が、相対的に異なる部分を含む請求項１に記載の金属針廃棄処理装置。
【請求項４】
前記金属針が、針灸用針、縫製用針、ミシン針、又は医療用針である請求項１に記載の金属針廃棄処理装置。
【請求項５】
前記溶融処理容器には、排気ダクトを設けた請求項１に記載の金属針廃棄処理装置。
【発明の詳細な説明】
【技術分野】
【０００１】
本発明は、使い終わった針灸用針、縫製用針、ミシン針、又は医療用針等の金属針を溶融処理する金属針廃棄処理装置に関する。
【背景技術】
【０００２】
従来から針灸用針、縫製用針、ミシン針、又は医療用針等の金属針は、使い終わった後の処理が困難であった。紙に包んで捨てるとか、キャップや容器に入れて捨てる等の処理方法が一般的であった。しかし、使い終わった後の針で人体を誤って刺し、血液を介して病気が移るなどの事故は後を絶たない。
【０００３】
医療用針においては、一部に、誤穿刺防止構造を翼付き注射針装置に適用した構造が、例えば特許文献１〜３に提案されている。そのような翼付き注射針装置は、スライド可能な円筒状のシールドの外周面に翼が取り付けられ、翼はシールドとともに注射針の外側をスライドする。注射針の使用後は、誤穿刺防止のために、シールドをスライドさせて注射針の先端を覆うことができる。
【特許文献１】特公平６−７８６１号公報
【特許文献２】特開平５−３００９４２号公報
【特許文献３】米国特許第４，１７０，９３３号明細書
【発明の開示】
【発明が解決しようとする課題】
【０００４】
しかし、誤穿刺防止構造を翼付き注射針装置は、コストが高いばかりでなく、保護装置を付ける際に誤って指を刺してしまったり、廃棄作業中に外れる問題がある。
【０００５】
本発明は、前記従来の問題を解決するため、廃棄が必要なときはその場で一瞬にして溶融させることにより、安全な金属針廃棄処理装置を提供する。
【課題を解決するための手段】
【０００６】
本発明の金属針廃棄処理装置は、交流電源を電源とし、所定の電圧に変換する変圧器と、前記変圧器からの出力側に２つの金属端子板を接続し、前記２つの金属端子板を溶融処理容器内に隙間を開けて収納した金属針廃棄処理装置であって、前記変圧器は、出力側が１５Ｖ以下の電圧であり、前記２つの金属端子板の間に金属針を配置したとき、短絡電流により、前記金属針を溶融することを特徴とする。
【発明の効果】
【０００７】
本発明は、２つの金属端子板の間に金属針を配置したとき、誘導加熱による短絡電流が走り、金属針を一瞬にして溶融するので、後に金属の危険部分は残らない。騒音の発生もない。また、変圧器の出力側が１５Ｖ以下の電圧であるから、人体に接触しても感電ショックはなく安全である。したがって、安全な金属針廃棄処理装置を提供できる。
【発明を実施するための最良の形態】
【０００８】
本発明の金属針廃棄処理装置は、交流電源を電源とする。交流電源としては、商用波数の交流電源が好ましい。すなわち、５０Ｈｚ又は６０Ｈｚの電源である。電源側の電圧は１１０Ｖでもよいし、２２０Ｖでもよい。電源側の電流は、針の太さと長さにもよるが、０．５〜２０Ａの範囲が好ましい。
【０００９】
前記のような電源を用いて、変圧器を用いて１５Ｖ以下の電圧に変換する。１５Ｖ以下であれば、人体に触れても電気ショックは起きないからである。
【００１０】
前記変圧器からの出力側に２つの金属端子板を接続し、前記２つの金属端子板を溶融処理容器内に隙間を開けて収納する。そして前記２つの金属端子板の間に金属針を配置すると、短絡電流が細い針に集中して流れるので発熱し、金属針が一瞬にして溶融する。
【００１１】
本発明においては、前記２つの金属端子板の距離が、相対的に異なる部分を含むことが好ましい。このようにすると、針の長さが異なっても同一の装置で処理できる。前記２つの金属端子板の距離を相対的に異ならせるには、例えばどちらか一方又は双方の金属板に傾斜をつけるとか、あるいはどちらか一方又は双方の金属板に段階的にステップをつけることにより実施できる。
【００１２】
本発明の装置は、針灸用針、縫製用針、ミシン針、又は医療用針等の金属針の廃棄処理に使用できる。すなわち、金属であれば針の種類は問わない。
【００１３】
前記溶融処理容器には、排気ダクトを設けてもよい。廃棄用針によっては、薬液や人体の体液が内部に入っていたり、根元部の樹脂の部分が解けて異臭が発生する場合もあるからである。
【００１４】
次に図面を用いて説明する。図１は本発明の一実施形態における金属針廃棄処理装置の概念を説明する図である。この装置は、変圧器１と溶融処理容器２で構成される。この例においては、変圧器１は、入力側の一次電源には６０Ｈｚの交流電源で１００Ｖ、１Ａ、１００Ｗの電力をかけている。出力側は６０Ｈｚの交流電源で１０Ｖ、１０Ａ、１００Ｗの電力となる。このような電圧変換は、鉄心の回りの巻き線の数を整合させて行う。出力側はワンループの短絡回路を形成している。
【００１５】
溶融処理容器２内には、前記変圧器の２つの出力側にそれぞれ接続した２つの金属端子板３，４を配線７、８を用いて配置する。金属板３としては、例えば厚み２ｍｍ、縦４０ｍｍ、横６０ｍｍのアルミ板を使用する。金属板４としては、例えば厚み０．４ｍｍ、縦１０ｍｍ、横２０ｍｍの銅板を使用する。金属板４には針の側面が当たり易いように切れ込みを入れておいてもよい。付け根の樹脂部分の針柄５を手で持ち、金属針６を金属板４の上方のスリット孔１０から入れて、奥側の金属板３に金属針６の先端を接触させ、手前側の金属板４に針柄５に近い針の根元部を接触させことで、針は先端から根元部まで一瞬に溶融する。すなわち、変圧器１の二次電源（出力）側の短絡電流が金属板４、金属針６、金属板３の間を流れ、前記短絡電流は、鉄等を主成分とする金属製の細い針に集中して流れるので、電気抵抗が高くなり、発熱し、金属針が一瞬にして溶融する。針は電極に固定して接触するため、スパークも生じにくい。また、この際に騒音は発生しない。溶融した後は、樹脂部分の針柄５は容器２内に落とす。金属針の溶融物も小さな塊又は粉体状になって容器内に落下する。金属針の材質は、銅よりも電気抵抗地の高い材料であれば、いかなる材料のものにも適用できる。
【００１６】
また、溶融処理容器２は樹脂の種類は問わないが、一例として厚さ２ｍｍのポリプロピレン製とした。容器の大きさは、一例として、縦１００ｍｍ、横１００ｍｍ、高さ７０ｍｍとした。溶融した金属針は金属板３の上に落下し、室温に冷却されるため、溶融−冷却状態を確認できる半透明の樹脂製ケースを用いるのが安全のため好ましい。
【００１７】
図２は本発明の別の実施形態における処理装置の断面図である。金属板３を傾斜させて固定しておく。このようにすると、角度θの範囲で金属針を移動できるので、この範囲の長さの針は、この装置で処理できる。
【００１８】
図３は本発明のさらに別の実施形態における処理装置の断面図である。金属板４を段階的に曲げてある。このようにすると、長さＬ１，Ｌ２，Ｌ３に見合う長さの針をセットすればよく、針の長さが異なっても同一の装置で処理できる。また容器２には排気ガス吸引ライン９が設けてあり、図示しない減圧源につながっている。このようにすると、針の内部に薬液や人体の体液が入っていたり、根元部の樹脂の部分が解けて異臭が発生する場合でも、外部に発散せず、清浄な環境を保つことができる。
【００１９】
（比較例１）
実施形態１の交流電源に代えて、直流電源を使用して金属針廃棄処理装置を作成し、金属針の処理を行った。しかし、騒音が大きく、実用的ではなかった。
【産業上の利用可能性】
【００２０】
本発明は、使い終わった針灸用針、縫製用針、ミシン針、又は医療用針等の金属針以外にも、医療外用針、釣り用針、ピン、虫ピン、紡績用針等を溶融処理する金属針廃棄処理装置にも適用できる。
【図面の簡単な説明】
【００２１】
【図１】本発明の一実施形態における金属針廃棄処理装置の概念説明図である。
【図２】本発明の別の実施形態における処理装置の断面図である。
【図３】本発明のさらに別の実施形態における処理装置の断面図である。
【符号の説明】
【００２２】
１  変圧器
２  溶融処理容器
３，４  金属板
５  針柄
６  金属針
７，８  配線
９  排気ガス吸引ライン
１０  スリット孔
【図１】
2005287601.tif 000003
【図２】
2005287601.tif 000004
【図３】
2005287601.tif 000005